(57)【特許請求の範囲】
【請求項１】
伝送路を介して受信装置と接続するためのインタフェースであるインタフェース部と、
入力信号の高域成分を補償する信号を前記入力信号に加えたプリエンファシス信号を生成するプリエンファシス部と、
前記受信装置が、前記プリエンファシス信号の受信処理を行うことが可能な装置であるか否かを示す識別情報を取得し、前記識別情報に応じて、前記受信装置を前記プリエンファシス信号の受信処理を行うことができる状態に切替えさせるための制御情報を、前記受信装置に対して送出させ、前記プリエンファシス部を制御して前記プリエンファシス信号を生成させる送信制御部と、
を備える、送信装置。
【請求項２】
前記伝送路は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルに含まれる伝送チャネルにより形成される、請求項１に記載の送信装置。
【請求項３】
前記識別情報は、前記受信装置に記憶されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）内の識別ビットにより示される、請求項２に記載の送信装置。
【請求項４】
前記送信制御部は、前記制御情報に対する応答情報が受信されると、前記応答情報に応じて、前記プリエンファシス部に前記プリエンファシス信号を生成させる、請求項１〜３のいずれか１項に記載の送信装置。
【請求項５】
前記送信制御部は、双方向の伝送路を介して、前記応答情報を受信する、請求項４に記載の送信装置。
【請求項６】
前記送信制御部は、ＣＥＣ（Ｃｏｎｓｕｍｅｒ  Ｅｌｅｃｔｒｏｎｉｃｓ  Ｃｏｎｔｒｏｌ）制御信号により前記制御情報及び前記応答情報を送信又は受信させる、請求項５に記載の送信装置。
【請求項７】
前記送信制御部は、前記伝送路として、ＨＥＡＣを用いることにより、前記制御情報及び前記応答情報を送信又は受信させる、請求項５に記載の送信装置。
【請求項８】
前記送信制御部は、ＡＶＩ  ＩｎｆｏＦｒａｍｅを用いて前記制御情報を送信させる、請求項２または３のいずれかに記載の送信装置。
【請求項９】
前記送信制御部は、前記制御情報を複数回送信する、請求項８に記載の送信装置。
【請求項１０】
送信装置と伝送路を介して接続するためのインタフェースであるコネクタ部と、
前記送信装置から受信した信号に対して受信処理を行う受信処理部と、
前記送信装置から、入力信号の高域成分を補償する信号を前記入力信号に加えたプリエンファシス信号の受信処理を行うことのできる状態に切替えさせるための制御情報を受信すると、前記制御情報に応じて前記受信処理部を前記プリエンファシス信号の受信処理を行うことができる状態に切替えさせる受信制御部と、
を備える、受信装置。
【請求項１１】
前記受信処理部は、
前記プリエンファシス信号のうち補償された高域成分を元に戻すデエンファシス処理を行うデエンファシス部を有し、
前記受信制御部は、前記デエンファシス部が、受信した信号のデエンファシス処理を行うことのできる状態に切替える、請求項１０に記載の受信装置。
【請求項１２】
前記受信処理部は、
受信した信号の高周波領域を補償するイコライザ部をさらに有し、
前記受信制御部は、前記制御情報に応じて、前記イコライザ部の補償特性を切替える、請求項１１に記載の受信装置。
【請求項１３】
送信装置と伝送路を介して接続される受信装置が、入力信号の高域成分を補償する信号を前記入力信号に加えたプリエンファシス信号の受信処理を行うことが可能な装置であるか否かを示す識別情報を取得するステップと、
前記識別情報に応じて、前記受信装置を前記プリエンファシス信号の受信処理を行うことができる状態に切替えさせるための制御情報を前記受信装置に送信するステップと、
前記プリエンファシス信号を前記受信装置に送信するステップと、
を含む、送信方法。
【請求項１４】
受信装置と伝送路を介して接続される送信装置から、前記受信装置をプリエンファシス信号の受信処理を行うことができる状態に切替えさせるための制御情報を受信するステップと、
前記プリエンファシス信号の受信処理を行うことが可能な状態にするための受信準備ステップと、
前記プリエンファシス信号の受信処理を行うステップと、
を含み、
前記プリエンファシス信号は、入力信号の高域成分を補償する信号を前記入力信号に加えた信号である、受信方法。
【請求項１５】
伝送路を介して受信装置と接続するためのインタフェースであるコネクタ部と、
入力信号の高域成分を補償する信号を前記入力信号に加えたプリエンファシス信号を生成するプリエンファシス部と、
前記受信装置が、前記プリエンファシス信号の受信処理を行うことが可能な装置であるか否かを示す識別情報を取得し、前記識別情報に応じて、前記受信装置を前記プリエンファシス信号の受信処理を行うことができる状態に切替えさせるための制御情報を前記受信装置に対して送出させ、前記プリエンファシス部を制御して前記プリエンファシス信号を生成させる送信制御部と、
を有する送信部と、
送信装置と伝送路を介して接続するためのインタフェースであるコネクタ部と、
前記送信装置から受信した信号に対して受信処理を行う受信処理部と、
前記送信装置から、入力信号の高域成分を補償する信号を前記入力信号に加えたプリエンファシス信号の受信処理を行うことのできる状態に切替えさせるための制御情報を受信すると、前記制御情報に応じて前記受信処理部を前記プリエンファシス信号の受信処理を行うことができる状態に切替えさせる受信制御部と、
を有する受信部と、
を備える、送受信装置。
【発明の詳細な説明】
【技術分野】
【０００１】
本発明は、送信装置、受信装置、送信方法、受信方法、及び送受信装置に関する。
【背景技術】
【０００２】
近年、映像信号及び音声信号を装置間で伝送するために、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）と呼ばれるデジタルインタフェース規格が登場し、家電機器及びＡＶ（Ａｕｄｉｏ  ａｎｄ  Ｖｉｓｕａｌ）機器の分野において、広く普及している。ＨＤＭＩは、ＤＶＩ（Ｄｉｇｉｔａｌ  Ｖｉｓｕａｌ  Ｉｎｔｅｒｆａｃｅ）をさらに発展させ、映像信号、音声信号、及び機器制御信号を１本のケーブルで伝送することができるようにしたものである。
【０００３】
ところで、表示装置の大画面化及び映像の高画質化に伴って、上記装置間で伝送されるデータの容量は増大している。このため、ＨＤＭＩにおいても伝送帯域の拡張が求められている。そこで、ＨＤＭＩ  Ｖｅｒ１．３においては、データ信号が伝送路で受ける伝送損失を推定し、高域ゲイン補償をかけて等化処理を行うためのケーブルイラコライザの利得カーブが定義された。この伝送損失を補償することにより、伝送可能帯域は、従来と比較して約２倍に広がった。また、特許文献１には、伝送路に含まれるリファレンスクロックを用いて、高域ゲイン補償をかけて等化処理を行い、さらにその自動最適化を図る方法が記載されている。
【先行技術文献】
【特許文献】
【０００４】
【特許文献１】特開２００８−１２４６７０号公報
【発明の概要】
【発明が解決しようとする課題】
【０００５】
しかし、特許文献１に記載の方法は、ＨＤＭＩ  Ｖｅｒ．１．３において拡張された帯域を超えるものではなく、さらなる広帯域化が望まれている。さらなる広帯域化のための１つの方法として、伝送により失われやすい、信号の高域成分を補償する信号を予め加えて、伝送損失を防ぐ方法がある。ところが、信号の高域成分を補償する信号を加えた場合には、従来信号（以下、ノーマル信号という。）との互換性が失われるという問題があった。
【０００６】
そこで、本発明は、上記問題に鑑みてなされたものであり、本発明の目的とするところは、伝送信号の高域成分を補償する信号を予め加えたプリエンファシス信号と、伝送信号の高域成分を補償する信号を加えないノーマル信号とを伝送することが可能な、新規かつ改良された送信装置、受信装置、送信方法、受信方法、及び送受信装置を提供することにある。
【課題を解決するための手段】
【０００７】
上記課題を解決するために、本発明のある観点によれば、伝送路を介して受信装置と接続するためのインタフェースであるインタフェース部と、入力信号の高域成分を補償する信号を上記入力信号に加えたプリエンファシス信号を生成するプリエンファシス部と、上記受信装置が、上記プリエンファシス信号の受信処理を行うことが可能な装置であるか否かを示す識別情報を取得し、上記識別情報に応じて、上記受信装置を上記プリエンファシス信号の受信処理を行うことができる状態に切替えさせるための制御情報を、上記受信装置に対して送出させ、上記プリエンファシス部を制御して上記プリエンファシス信号を生成させる送信制御部とを有する、送信装置が提供される。
【０００８】
かかる構成によれば、受信装置がプリエンファシス伝送に対応している場合にのみプリエンファシス信号を生成するとともに受信装置をプリエンファシス信号の受信処理を行うことができる状態に切り替えさせることができるため、プリエンファシス信号と、ノーマル信号との双方を伝送することができる。
【０００９】
また、上記伝送路は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルに含まれる伝送チャネルにより形成されてもよい。
【００１０】
また、上記識別情報は、上記受信装置に記憶されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）内の識別ビットにより示されてもよい。
【００１１】
また、上記送信制御部は、上記制御情報に対する応答情報が受信されると、上記応答情報に応じて、上記プリエンファシス部に上記プリエンファシス信号を生成させてもよい。
【００１２】
また、上記送信制御部は、双方向の伝送路を介して、上記応答情報を受信してもよい。
【００１３】
また、上記送信制御部は、ＣＥＣ（Ｃｏｎｓｕｍｅｒ  Ｅｌｅｃｔｒｏｎｉｃｓ  Ｃｏｎｔｒｏｌ）制御信号により上記制御情報及び上記応答情報を送信又は受信させてもよい。
【００１４】
また、上記送信制御部は、上記伝送路として、ＨＥＡＣ（ＨＤＭＩ  Ｅｔｈｅｒｎｅｔ（登録商標）  ＆  Ａｕｄｉｏ  Ｒｅｔｕｒｎ  Ｃｈａｎｎｅｌ）を用いることにより、上記制御情報及び上記応答情報を送信又は受信させてもよい。
【００１５】
また、上記送信制御部は、ＡＶＩ  ＩｎｆｏＦｒａｍｅを用いて上記制御情報を送信させてもよい。
【００１６】
また、上記送信制御部は、上記制御情報を複数回送信してもよい。
【００１７】
また、上記課題を解決するために、本発明の別の観点によれば、送信装置と伝送路を介して接続するためのインタフェースであるコネクタ部と、上記送信装置から受信した信号に対して受信処理を行う受信処理部と、上記送信装置から、入力信号の高域成分を補償する信号を上記入力信号に加えたプリエンファシス信号の受信処理を行うことのできる状態に切替えさせるための制御情報を受信すると、上記制御情報に応じて上記受信処理部を上記プリエンファシス信号の受信処理を行うことができる状態に切替えさせる受信制御部とを有する、受信装置が提供される。
【００１８】
また、上記受信処理部は、上記プリエンファシス信号のうち補償された高域成分を元に戻すデエンファシス処理を行うデエンファシス部を有し、上記受信制御部は、上記デエンファシス部が、受信した信号のデエンファシス処理を行うことのできる状態に切替えてもよい。
【００１９】
また、上記受信処理部は、受信した信号の高周波領域を補償するイコライザ部をさらに有し、上記受信制御部は、上記制御情報に応じて、上記イコライザー部の補償特性を切替えてもよい。
【００２０】
また、上記課題を解決するために、本発明の別の観点によれば、送信装置と伝送路を介して接続される受信装置が、入力信号の高域成分を補償する信号を上記入力信号に加えたプリエンファシス信号の受信処理を行うことが可能な装置であるか否かを示す識別情報を取得するステップと、上記識別情報に応じて、上記受信装置を上記プリエンファシス信号の受信処理を行うことができる状態に切替えさせるための制御情報を上記受信装置に送信するステップと、上記プリエンファシス信号を上記受信装置に送信するステップと、を含む、送信方法が提供される。
【００２１】
また、上記課題を解決するために、本発明の別の観点によれば、受信装置と伝送路を介して接続される送信装置から、上記受信装置を上記プリエンファシス信号の受信処理を行うことができる状態に切替えさせるための制御情報を受信するステップと、上記プリエンファシス信号の受信処理を行うことが可能な状態にするための受信準備ステップと、上記プリエンファシス信号の受信処理を行うステップと、を含む、受信方法が提供される。
【００２２】
また、上記課題を解決するために、本発明の別の観点によれば、伝送路を介して受信装置と接続するためのインタフェースであるコネクタ部と、入力信号の高域成分を補償する信号を上記入力信号に加えたプリエンファシス信号を生成するプリエンファシス部と、上記受信装置が、上記プリエンファシス信号の受信処理を行うことが可能な装置であるか否かを示す識別情報を取得し、上記識別情報に応じて、上記受信装置を上記プリエンファシス信号の受信処理を行うことができる状態に切替えさせるための制御情報を上記受信装置に対して送出させ、上記プリエンファシス部を制御して上記プリエンファシス信号を生成させる送信制御部と、を有する送信部と、送信装置と伝送路を介して接続するためのインタフェースであるコネクタ部と、上記送信装置から受信した信号に対して受信処理を行う受信処理部と、上記送信装置から、入力信号の高域成分を補償する信号を上記入力信号に加えたプリエンファシス信号の受信処理を行うことのできる状態に切替えさせるための制御情報を受信すると、上記制御情報に応じて上記受信処理部を上記プリエンファシス信号の受信処理を行うことができる状態に切替えさせる受信制御部と、を有する受信部と、を有する、送受信装置が提供される。
【発明の効果】
【００２３】
以上説明したように本発明によれば、伝送信号の高域成分を補償する信号を予め加えたプリエンファシス信号と、伝送信号の高域成分を補償する信号を加えないノーマル信号とを伝送することが可能となる。
【図面の簡単な説明】
【００２４】
【図１】本発明の一実施形態に係る伝送システムの構成を示すブロック図である。
【図２】同実施形態に係る受信装置で用いるイラコライザカーブの一例である。
【図３】同実施形態に係る受信装置で用いるイラコライザカーブの他の一例である。
【図４】ＨＤＭＩの信号構成を概略的に示す説明図である。
【図５】動作モード切替のタイミング制限を説明するための説明図である。
【図６】動作モード切替動作の第１の例を示すシーケンス図である。
【図７】プリエンファシスモードからの動作モード切替動作の第１の例を示すシーケンス図である。
【図８】ＣＥＣの仕組みを示す説明図である。
【図９】動作モード切替動作の第２の例を示すシーケンス図である。
【図１０】動作モード切替動作の第３の例を示すシーケンス図である。
【図１１】伝送路長を正確に規定することのできるケーブル構造の第１の例を示す説明図である。
【図１２】伝送路長を正確に規定することのできるケーブル構造の第２の例を示す説明図である。
【図１３】伝送による高域成分の損失の様子を示す説明図である。
【図１４】プリエンファシス信号を概略的に示す説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
なお、説明は以下の順序で行うものとする。
１．概要
２．機能構成
３．信号構成
４．動作モードの切替えに用いる制御情報
４−１．ＥＤＩＤ情報及びＡＶＩ  ＩｎｆｏＦｒａｍｅ
４−２．ＣＥＣ制御信号
４−３．Ｅｔｈｅｒｎｅｔ（登録商標）のパケット（ＨＥＡＣ）
５．ケーブル構造について
６．効果の例
【００２７】
＜１．概要＞
ＨＤＭＩは、映像信号、音声信号、及び機器制御信号を伝送することのできるデジタルインタフェース規格である。このＨＤＭＩは、ＤＶＩと呼ばれるＰＣ（Ｐｅｒｓｏｎａｌ  Ｃｏｍｐｕｔｅｒ）とディスプレイを接続するための接続規格を基にして、音声信号及び機器制御信号の伝送機能、並びに、コピー防止機能（ＨＤＣＰ：Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）などを追加してＡＶ機器及び家電機器向けに拡張された規格である。
【００２８】
映像信号を伝送するためのデジタルインタフェース規格としては、他にＤｉｓｐｌａｙＰｏｒｔが挙げられる。ＨＤＭＩがＤＶＩとの互換性を優先し、ＤＶＩの拡張により規定されたのに対し、ＤｉｓｐｌａｙＰｏｒｔは、ＤＶＩとの互換性を捨て、より高解像度での利用を優先し、現状においては、ＨＤＭＩよりも広帯域化を実現している。
【００２９】
そこで、ＨＤＭＩにおいても、さらなる広帯域化により、例えば２Ｋ×４Ｋと呼ばれる大画面フォーマット、およびハイフレームレート（１Ｋ×２Ｋ  ２４０Ｈｚ  ８ｂｉｔ）などのフォーマットに対応することが望まれている。ＨＤＭＩの広帯域化を図るための方法として、プリエンファシスの適用が挙げられる。プリエンファシスとは、伝送により失われる信号のエッジ成分を予め強調して伝送する方法である。
【００３０】
ここで、図１３及び図１４を用いて、プリエンファシスについて説明する。図１３は、伝送による高域成分の損失の様子を示す説明図である。また、図１４は、プリエンファシス信号を概略的に示す説明図である。
【００３１】
図１３（ａ）に示されるように、デジタル信号は、そのエッジ３２部分により０又は１の値が判別されている。ところが、信号の高周波成分は劣化しやすい。このため、図１３（ａ）に示されるデジタル信号は、伝送後に、図１３（ｂ）に示されるように波形がなまってしまう。
【００３２】
このため、この伝送により失われやすいエッジ３２部分の成分を予め強調するプリエンファシスという方法がある。例えば、図１４（ａ）に示されるようにプリエンファシスを加えた信号は、伝送により劣化しても図１４（ｂ）に示されるようにエッジ３２部分の波形のなまりを低減する。
【００３３】
ところが、ＤｉｓｐｌａｙＰｏｒｔが当初からこのプリエンファシスに対応し、ＤＶＩにおいて用いられていた従来の信号（以下、このプリエンファシスされていない信号をノーマル信号という。）との互換性を断っているのに対して、ＨＤＭＩは、ＤＶＩとの互換性を優先するために現状ノーマル信号により伝送を行っている。このため、単純にＨＤＭＩにプリエンファシスの機能を加えただけでは、ノーマル信号との互換性が失われる。
【００３４】
そこで、本発明の一実施形態係る伝送システムは、送信装置にプリエンファシス回路を設け、受信装置にデエンファシス回路を設け、さらにこの送信装置および受信装置が、ノーマル信号とプリエンファシス信号の双方を伝送することができるように、制御信号を用いてプリエンファシス回路とデエンファシス回路のＯＮ／ＯＦＦを切替えることができるようにした。この伝送システムの詳細な構成について、次に説明する。
【００３５】
＜２．機能構成＞
図１は、本実施形態に係る伝送システムの機能構成を示すブロック図である。本実施形態に係る伝送システム１０は、送信装置１００と、受信装置２００と、送信装置１００と受信装置２００とを接続するＨＤＭＩケーブル３００とを主に有する。
【００３６】
送信装置１００は、ＨＤＭＩにおいて一般的にソース機器と呼ばれる装置である。送信装置１００は、受信装置２００に対して画像及び音声などのデータを送信する。送信装置１００の具体例としては、例えば、ゲーム機、ＤＶＤプレイヤ、セットトップボックス、およびその他のＡＶソース機器が挙げられる。
【００３７】
受信装置２００は、ＨＤＭＩにおいて一般的にシンク機器と呼ばれる装置である。受信装置２００の具体例としては、例えば、テレビ受信機、プロジェクタ、その他の表示装置などが挙げられる。
【００３８】
ＨＤＭＩケーブル３００は、ＨＤＭＩにより規定されるケーブルであり、送信装置１００と受信装置２００とを接続する。ＨＤＭＩケーブルについては、後に信号構成と合わせて詳述するが、ＨＤＭＩケーブルは、送信装置１００及び受信装置２００間において、主に映像信号、音声信号、及び制御信号を伝送する。
【００３９】
（送信装置１００）
送信装置１００は、インタフェース部１１０と、送信処理部１２０と、送信制御部１３０と、パケット化部１４０とを主に有する。なお、送信処理部１２０とパケット化部１４０とを合わせてエンコーダ部ともいう。
【００４０】
インタフェース部１１０は、ＨＤＭＩケーブル３００と接続するためのインタフェースであり、ＨＤＭＩにより規定された構成を有する。
【００４１】
送信処理部１２０は、ＨＤＭＩトランスミッタとも呼ばれ、入力される映像信号、音声信号、及び制御信号をＨＤＭＩケーブルのＴＭＤＳチャネルに送出するための信号処理を行う。この信号処理には、例えばエンコード処理や、プリエンファシス処理が含まれる。このプリエンファシス処理を行う機能部をプリエンファシス部１２２と呼ぶ。送信処理部１２０は、送信制御部１３０の制御に従って動作する。
【００４２】
プリエンファシス部１２２は、図１４において説明したようなプリエンファシス信号を生成する機能を有する。つまり、プリエンファシス部は、入力信号の高域成分を補償する信号を入力信号に加えたプリエンファシス信号を生成する。プリエンファシス部１２２は、プリエンファシス処理を行う回路などにより実現される。このプリエンファシス部１２２は、送信制御部１３０からの制御に従って動作する。具体的には、プリエンファシス部１２２は、プリエンファシス処理を行うプリエンファシスモードと、プリエンファシス処理を行わないノーマルモードとを有し、送信制御部１３０からの制御に従ってこの動作モードが切替えられる。
【００４３】
送信制御部１３０は、送信装置１００の送信動作を制御する機能を有する。送信制御部１３０は、例えば、受信装置２００がプリエンファシス信号の受信処理を行うことが可能な装置であるか否かを示す識別情報を取得し、この識別情報に応じて送信動作を制御する。具体的には、送信制御部１３０は、受信装置２００がプリエンファシス信号の受信処理を行うことができる装置であることを示す識別情報を取得すると、受信装置２００がプリエンファシス信号を受信することのできるデエンファシスモードで動作するように制御し、さらに、送信装置１００がプリエンファシス信号を用いるプリエンファシスモードで動作するように制御する。
【００４４】
ここで、プリエンファシスモード及びデエンファシスモードの詳細な動作については、この動作モードの切替に用いる制御情報の種類等によって異なる。このため、詳細な動作については、制御情報の種類別に後述される。
【００４５】
一方、送信制御部１３０は、受信装置２００がプリエンファシス信号の受信処理を行うことのできない装置であることを示す識別情報を取得すると、送信装置１００及び受信装置２００が、プリエンファシスを加えていないノーマル信号の伝送を行うノーマルモードで動作するように送信装置１００及び受信装置２００を制御する。
【００４６】
パケット化部１４０は、音声信号及び制御信号のパケット化処理を行う機能を有する。パケット化部１４０は、入力された音声信号及び制御信号に対してパケット化処理を行うと、送信処理部１２０に入力する。
【００４７】
（受信装置２００）
受信装置２００は、インタフェース部２１０と、受信処理部２２０と、受信制御部２３０と、デパケット化部２４０と、ＥＤＩＤ  ＲＯＭ２５０とを主に有する。なお、受信処理部２２０とデパケット化部２４０とを合わせてデコーダ部ともいう。
【００４８】
インタフェース部２１０は、ＨＤＭＩケーブル３００と接続するためのインタフェースであり、ＨＤＭＩにより規定された構成を有する。
【００４９】
受信処理部２２０は、ＨＤＭＩレシーバとも呼ばれ、受信信号に対して受信処理を行う。この受信処理には、例えば、デコード処理、デエンファシス処理、及び等化処理などが含まれる。プリエンファシス信号の補償された高域成分を元に戻すデエンファシス処理を行う機能部をデエンファシス部２２２とし、受信信号の伝送損失を推定して高域ゲイン補償をかけて等化処理を行う機能部をイコライザ２２４とする。受信処理部２２０は、受信制御部２３０の制御に従って動作する。
【００５０】
受信制御部２３０は、受信装置２００の受信動作を制御する機能を有する。受信制御部２３０は、送信装置１００から、プリエンファシス信号の受信処理を行うことのできるデエンファシスモードに切替えさせるための制御情報を受信すると、動作モードをデエンファシスモードに切替える。デエンファシスモードとは、具体的には、受信処理部２２０のデエンファシス部２２２が、受信信号に対してデエンファシス処理を行い、イコライザ２２４がプリエンファシス信号に対応する補償特性を有するイコライザカーブを用いて等化処理を行う動作モードをいう。
【００５１】
ここで、イコライザ２２４が用いるイコライザカーブについて、図２及び図３を用いてその一例を示す。図２には、ノーマル信号に対応するイコライザカーブ２２と、プリエンファシス信号に対応するイコライザカーブ２４とが示されている。ＨＤＭＩ  Ｖｅｒ．１．３において、Ｃｌｏｃｋ  Ｒａｔｅ３４０ＭＨｚ（Ｄａｔａ  Ｒａｔｅ３．４Ｇｂｉｔ／ｓ）を通すために、伝送路損失を補償するケーブルイコライザの利得特性がイコライザカーブ２２に示されるように定められた。
【００５２】
本実施形態においては、プリエンファシス伝送を採用することにより、伝送路は更に広帯域化する。このため、Ｃｌｏｃｋ  Ｒａｔｅ６８０Ｇｂｉｔ／ｓ（Ｄａｔａ  Ｒａｔｅ  ６．８Ｇｂｉｔ／ｓ）を通すために、新たにケーブルイコライザの利得特性をイコライザカーブ２４に示すように定めた。イコライザ２２４は、この利得特性を、動作モードに応じて、すなわち、受信制御部２３０の制御に従って切替える。かかる構成により、ノーマル信号又はプリエンファシス信号の受信信号に応じた利得特性により適切に伝送路損失を補償することができる。
【００５３】
ところで、信号の伝送損失は、伝送に用いられるケーブルの長さ、品質等の影響を受ける。このため、イコライザ２２４は、利得特性を、伝送されたクロック信号の品質に応じて自動的に切替えてもよい。例えば、イコライザ２２４は、図３に示すようなプリエンファシス信号に対応するイコライザカーブ２４ａ、イコライザカーブ２４ｂ、及びイコライザカーブ２４ｃの３つのイコライザカーブ２４を、切替えて用いてもよい。
【００５４】
ここで示すイコライザカーブは一例であることは言うまでもない。ここでは、イコライザ２２４は、プリエンファシス信号に対応するイコライザカーブを３つの中から切替えて用いる構成としたが、これに限られない。例えば、イコライザ２２４は、さらに多くのイコライザカーブを準備しておき、その中から選択して用いてもよい。また、図３においては、ノーマル信号に対応するイコライザカーブ２２は１種類のみ示したが、これに限られない。ノーマル信号に対応するイコライザカーブ２２も、複数準備されてもよい。
【００５５】
ここで、再び図１に戻って、受信装置２００の構成について説明する。デパケット化部２４０は、送信装置１００のパケット化部１４０においてパケット化された信号を元に戻す機能を有する。デパケット化部２４０は、受信処理部２２０から受け取ったパケットに対してデパケット化処理を行う。
【００５６】
ＥＤＩＤ  ＲＯＭ２５０は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を記憶する記憶部である。ＥＤＩＤ情報は、ＨＤＭＩにおけるシンク機器である受信装置２００の表示装置としての性能を示す情報である。例えば、表示装置の性能を示す情報としては、解像度及び帯域の情報などが挙げられる。送信装置１００は、このＥＤＩＤ情報を取得することによって、受信装置の表示性能に合わせたフォーマットの信号を伝送することができる。
【００５７】
以上、本実施形態に係る伝送システム１０の基本的な構成について説明してきた。伝送システム１０は、送信装置１００と受信装置２００との間で、制御情報の伝送を行うことによって、送信装置１００及び受信装置２００の双方がプリエンファシス信号の伝送に対応した装置であることを確認し、送信装置１００をプリエンファシスモードに、受信装置２００をデエンファシスモードに切り替えた後、プリエンファシス信号を用いて伝送を行う。伝送システム１０は、このプリエンファシス信号への対応の有無の確認と、動作モードの切替とに制御情報又は識別情報を用いるが、ここで用いられる制御情報及び識別情報の伝送方法としては、複数考えられる。ここでは、制御情報及び識別情報の伝送方法の差異について理解するために、ＨＤＭＩにおける信号構成について次に説明する。
【００５８】
＜３．信号構成＞
図４は、ＨＤＭＩの信号構成を概略的に示す説明図である。この図４において示されるように、ＨＤＭＩケーブルには、ＨＤＭＩトランスミッタ１２０とＨＤＭＩレシーバ２２０との間を映像信号及び音声信号を伝送するために３つのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）チャネルと、１つのＴＭＤＳクロックチャネルとが含まれる。また、ＨＤＭＩケーブルには、この他に、主に制御用のチャネルとして、ＣＥＣ（Ｃｏｎｓｕｍｅｒ  Ｅｌｅｃｔｒｏｎｉｃｓ  Ｃｏｎｔｒｏｌ）ライン、ユーティリティライン、ＨＰＤ（Ｈｏｔ  Ｐｌｕｇ  Ｄｅｔｅｃｔ）ライン、電源ライン（＋５Ｖ）、及びＤＤＣ（Ｄｉｓｐｌａｙ  Ｄａｔａ  Ｃｈａｎｎｅｌ）ラインが含まれる。
【００５９】
ＴＭＤＳでは、Ｒ（Ｒｅｄ：赤）／Ｇ（Ｇｒｅｅｎ：緑）／Ｂ（Ｂｌｕｅ：青）の原色信号、又はＹ（輝度）／Ｐｂ（色差）／Ｐｒ（色差）の色差信号の３種類の映像信号とクロック信号の伝送にそれぞれ１チャネルずつで、合計４チャネルが用いられる。この４チャネルは、まとめて、「リンク」といわれる。１本のチャネルは、２本の信号線による差動駆動により伝送される。
【００６０】
ＣＥＣラインは、機器制御のためのＣＥＣ制御信号を伝送する。ＣＥＣラインは、双方向の通信を行うことができる。このＣＥＣ制御信号を用いることによって実現されている機器制御の具体例としては、例えば、「テレビの録画ボタンを押すだけで、レコーダの電源を入れてテレビで視聴中のチャンネルに切替え、録画を開始する」といった制御が挙げられる。
【００６１】
ＨＰＤラインは、ケーブルを介して送信装置１００と受信装置２００とが接続されたことを検出するためのＨＰＤ信号を伝送する。通常、ソース機器からシンク機器に供給される＋５Ｖ電源から、シンク機器側で抵抗を介してソース機器に戻される信号により、ソース機器は、ケーブル及びシンク機器が接続されたことを検出して、ＥＤＩＤ情報を読みだす。
【００６２】
ユーティリティライン及びＨＰＤラインは、ＨＥＡＣによるＥｔｈｅｒｎｅｔ（登録商標）パケットによる双方向通信のためのＨＥＡＣ＋ライン及びＨＥＡＣ−ラインとしても用いられる。
【００６３】
電源ライン（＋５Ｖ）は、ソース機器からＨＤＭＩケーブルを介してシンク機器に＋５Ｖ電源を供給する。電源ラインは、シンク機器のＥＤＩＤ  ＲＯＭに電源を供給する。
【００６４】
ＤＤＣラインは、シンク機器のＥＤＩＤ  ＲＯＭに書かれたＥＤＩＤ情報の読出しと、ＨＤＣＰの認証に使用される。
【００６５】
この後説明する、伝送システム１０の３つの実施例のうち、第１の実施例は、ＴＭＤＳチャネル上を伝送されるＡＶＩ  ＩｎｆｏＦｒａｍｅにより制御情報を伝送する。このとき、ＤＤＣラインを介して取得するＥＤＩＤ情報により、送信装置１００は、受信装置２００がプリエンファシス伝送に対応する装置であるか否かを判断する。
【００６６】
ＥＤＩＤ情報の取得及びＡＶＩ  ＩｎｆｏＦｒａｍｅの送信は、現状においても行われているため、第１の実施例は、実装が容易であるという特長を有する。ところが、ＥＤＩＤ情報の取得及びＡＶＩ  ＩｎｆｏＦｒａｍｅの送信に用いられるＤＤＣライン及びＴＭＤＳラインは、一方向の伝送しか行うことができない。このため、受信装置２００に対して、プリエンファシス伝送に対応するデエンファシスモードに切り替わるよう制御情報を送信したとしても、実際に動作モードが切り替わったことを確認することができない。このため、双方向の通信を用いて実際に動作モードが切り替わったことを確認する第２の実施例及び第３の実施例を考案した。
【００６７】
第２の実施例は、上述したＣＥＣ制御信号を用いて、新たなＣＥＣ制御コマンドを規定することによって、動作モードの切り替えおよび動作モードが切り替わったことの確認を行う。また、第３の実施例は、上述したＨＥＡＣを用いて、Ｅｔｈｅｒｎｅｔ（登録商標）のパケットにより制御する。これら３つの実施例による動作を以下に説明していく。
【００６８】
＜４．動作モードの切替えに用いる制御情報＞
上述してきたように、本実施形態に係る伝送システム１０は、ノーマル信号とプリエンファシス信号の双方を伝送することができる。ノーマル信号とプリエンファシス信号の双方を伝送するために、送信装置１００と受信装置２００とは、それぞれノーマルモードとプリエンファシスモード、ノーマルモードとデエンファシスモードの２つの動作モードを切替える構成が必要である。送信制御部１３０及び受信制御部２３０は、制御情報の送受信を行うことによって、お互いがプリエンファシス伝送に対応することができる装置か否かの確認と、動作モードの切り替えとを行う。
【００６９】
この確認及び切替えに用いる制御情報の伝送方法には、いくつか考えられる。そこで、次にこの制御情報の伝送方法の具体例について、３つの例を挙げて説明する。
【００７０】
（４−１．ＥＤＩＤ情報及びＡＶＩ  ＩｎｆｏＦｒａｍｅ）
まず、第１の実施例は、ＥＤＩＤ情報を用いて受信装置２００がプリエンファシス伝送に対応することのできる装置であるか否かを確認し、ＡＶＩ  ＩｎｆｏＦｒａｍｅを用いて送信装置１００が受信装置２００にプリエンファシス伝送に対応するデエンファシスモードに切替えるよう制御する制御情報を伝送する。
【００７１】
このため、プリエンファシス伝送に対応する受信装置２００は、ＥＤＩＤ情報内に、プリエンファシス伝送に対応していることを示す識別情報であるプリエンファシスビットを有する。このプリエンファシスビットは、例えば、ＥＤＩＤのＶＳＤＢ６Ｂｙｔｅ目のＢｉｔ１又はＢｉｔ２のＲｅｓｅｒｖｅｄ  Ｂｉｔが使用される。
【００７２】
送信制御部１３０は、ＥＤＩＤ情報を取得すると、ＥＤＩＤ情報内のプリエンファシスビットを確認する。そして、プリエンファシスビットが、受信装置２００がプリエンファシス伝送に対応している装置であることを示す値である場合には、送信制御部１３０は、送信装置１００がプリエンファシスモードで動作するように制御する。
【００７３】
また、送信制御部１３０は、受信装置２００がプリエンファシス伝送に対応している装置であることを確認すると、プリエンファシス伝送を開始することを通知し、受信装置２００をデエンファシスモードに切り替えさせるための制御情報を送信させる。このとき、制御情報は、ＡＶＩ  ＩｎｆｏＦｒａｍｅを用いて伝送される。例えば、この制御情報は、ＡＶＩ  ＩｎｆｏＦｒａｍｅのＶＳＤＢ  Ｄａｔａ  Ｂｙｔｅ１のＢｉｔ７のＲｅｓｅｒｖｅｄ  Ｂｉｔを用いて通知される。
【００７４】
受信制御部２３０は、ＡＶＩ  ＩｎｆｏＦｒａｍｅを受信すると、制御情報を確認して、送信装置１００がプリエンファシス伝送を開始することを認識した場合には、動作モードをデエンファシスモードに切替える。上述の通り、本実施例においては、受信装置２００が実際にデエンファシスモードに切り替わったか否かを送信装置１００は確認をすることができない。このため、より確実な通信を行うために、送信制御部１３０は、複数回ＡＶＩ  ＩｎｆｏＦｒａｍｅを送信することにより、複数回制御情報を送信してもよい。
【００７５】
また、受信装置２００が実際に動作モードを切替えたか否かを確認することができないため、本実施例における動作モードの切り替えには、タイミング制限がある。図５は、第１の実施例における動作モード切替のタイミング制限を説明するための説明図である。
【００７６】
図５に示されるように、動作モードの遷移は、必ず受信装置２００（Ｒｘ）側を切替えるための制御情報を送信してから送信装置１００（Ｔｘ）の動作モードを切り替え、切替え後の動作モードによる伝送が開始される必要がある。
【００７７】
次に、図６及び図７を参照しながら、第１の実施例による動作モード切替えについて説明する。図６は、動作モード切替動作の第１の例を示すシーケンス図である。また、図７は、プリエンファシスモードからの動作モード切替動作の第１の例を示すシーケンス図である。
【００７８】
まず、送信装置１００と受信装置２００との間がケーブルにより接続されると（Ｓ１０４）、送信装置１００は、受信装置２００のＥＤＩＤ−ＲＯＭに電源を供給し、受信装置２００がＨＰＤ信号を返すことにより、送信装置１００においては、ＨＰＤを検出する（Ｓ１０２）。そして、受信装置２００は、ＥＤＩＤ情報を送信装置１００に送信する（Ｓ１０６）。また、送信制御部１３０は、伝送する信号のフォーマットを確認する（Ｓ１０８）。そして、送信制御部１３０は、帯域の拡張が必要か否かをステップＳ１０８において確認した伝送信号のフォーマットに基づいて判断する（Ｓ１１０）。
【００７９】
そして、帯域の拡張が必要でない場合には、そのままノーマルモードで動作するため、動作モードの切替え動作は終了する。一方、帯域の拡張が必要な場合には、次に、ステップＳ１０６において取得したＥＤＩＤ情報中のプリエンファシスビットの値を確認する（Ｓ１１２）。そして、プリエンファシスビットの値が１（即ち、受信装置２００がプリエンファシス伝送に対応している装置であることを示す値）である場合には、送信制御部１３０は、ＡＶＩ  ＩｎｆｏＦｒａｍｅにより、受信装置２００がデエンファシスモードに切り替わるよう要求する制御情報を送信する（Ｓ１１４）。
【００８０】
また一方、ステップＳ１１２の判断において、プリエンファシスビットの値が１でなかった場合、即ち、受信装置２００がプリエンファシス伝送に対応していない装置であった場合には、プリエンファシス伝送ができないため、送信制御部１３０は、動作モードの切り替えを行わない。
【００８１】
ステップＳ１１４において、送信制御部１３０は、受信装置２００がデエンファシスモードに切り替わるための制御情報を送信すると、送信処理部１２０をプリエンファシスモードに切替える。具体的には、送信制御部１３０は、送信処理部１２０のプリエンファシス部１２２がプリエンファシス処理を行い、プリエンファシス信号を生成するよう制御する。
【００８２】
一方、ステップＳ１１４において送信されたＡＶＩ  ＩｎｆｏＦｒａｍｅを受信した受信装置２００の受信制御部２３０は、ＡＶＩ  ＩｎｆｏＦｒａｍｅに含まれる、受信装置２００をデエンファシスモードに切替えさせるための制御情報に応じて、受信処理部２２０をデエンファシスモードに切替える（Ｓ１１８）。
【００８３】
そして、送信制御部１３０は、受信装置２００に対してプリエンファシス信号の伝送を開始する（Ｓ１２０）。ここで、送信制御部１３０は、受信装置２００がデエンファシスモードに切り替わってからプリエンファシス信号の伝送を開始する必要があるため、制御情報を複数回送信してから送信処理部１３０の動作モードを切替えてもよい。
【００８４】
また、送信装置１００がプリエンファシスモードで動作し、受信装置２００がデエンファシスモードで動作しているときに、伝送する信号のフォーマットが変更された場合には、必要に応じてノーマルモードへ動作モードを切替えてもよい。
【００８５】
まず、送信制御部１３０は、伝送信号のフォーマット変更を検知すると（Ｓ２０２）、伝送信号のフォーマットを確認する（Ｓ２０４）。そして、送信制御部１３０は、認識した伝送信号のフォーマットに基づいて、帯域の拡張が必要であるか否かを判断する（Ｓ２０６）。ステップＳ２０６の判断において、帯域の拡張が必要であると判断された場合、引き続きプリエンファシスモードで伝送が行われることが望ましいため、送信制御部１３０は、動作モードの切り替えを行わない。
【００８６】
一方、ステップＳ２０６において、帯域の拡張が必要でないと判断された場合、送信制御部１３０は、ノーマルモードにより伝送を行うよう制御する。すなわち、送信制御部１３０は、受信装置２００に対してＡＶＩ  ＩｎｆｏＦｒａｍｅを用いて、受信装置２００をノーマルモードに切替えるための制御情報を送信する（Ｓ２０８）。
【００８７】
送信制御部１３０は、ステップＳ２０８において受信装置２００に制御情報を送信すると、送信処理部１２０をノーマルモードに切替える（Ｓ２１０）。一方、送信装置１００から制御情報を受け取った受信制御部２３０は、受信した制御情報に応じて動作モードをノーマルモードに切替える（Ｓ２１２）。そして、送信制御部１３０は、受信装置２００に対してノーマル信号の伝送を開始する（Ｓ２１４）。
【００８８】
なお、ここでは、伝送信号のフォーマットに基づいて、プリエンファシス伝送を行うほどの帯域が必要でない場合には、ノーマルモードに切替えることとしたが、これに限られない。送信装置１００及び受信装置２００の双方がプリエンファシス伝送に対応している場合にはプリエンファシス伝送を行うようにしてもよい。この場合には、当然図７に示したような切り替え動作は不要である。
【００８９】
（４−２．ＣＥＣ制御信号）
次に、図８及び図９を用いて、ＣＥＣ制御信号を用いる第２の実施例について説明する。上述の通り、ＣＥＣラインは、双方向の通信が可能であるため、送信装置１００は、受信装置２００の動作モードを切替えるための制御信号を送信した後、受信装置２００から応答情報を受信することができる。受信制御部２３０は、動作モードをデエンファシスモードに切替えてから応答情報をＣＥＣラインを介して送信装置１００に送出し、送信制御部１３０は、この応答情報を確認してから送信装置１００の動作モードを切替える。
【００９０】
図８に示されるように、送信装置１００と受信装置２００とは、ＣＥＣラインを介してＣＥＣ制御信号の伝送を行うことができる。ＣＥＣラインは双方向の通信をすることができるため、受信装置２００は、制御情報に対する応答情報を送信装置１００に返すことができる。送信制御部１３０は、この応答情報に応じて送信処理部１２０を制御する。
【００９１】
次に図９は、第２の実施例の動作を示すシーケンス図である。ステップＳ３０２〜ステップＳ３１２までの動作は、図６のステップＳ１０２〜ステップＳ１１２までの動作と同様であるため、ここでは説明を省略する。
【００９２】
ステップＳ３１２の判断において、ＥＤＩＤのプリエンファシスビットの値が１であると判断されると、送信制御部１３０は、受信装置２００に対してＣＥＣ制御信号により、受信装置２００をデエンファシスモードに切替えるための制御情報を送信する（Ｓ３１４）。そして、この制御情報を受け取った受信装置２００の受信制御部２３０は、制御情報に応じて動作モードをデエンファシスモードに切り替え（Ｓ３１６）、ＣＥＣ制御信号により応答情報を送信装置１００に返す（Ｓ３１８）。
【００９３】
この応答情報により、送信装置１００は、受信装置２００がデエンファシスモードに切り替わったと判断することができる。このため、応答情報に応じて、送信制御部１３０は、動作モードをプリエンファシスモードに切替える（Ｓ３２０）。そして、送信制御部１３０は、プリエンファシス信号の伝送を開始する（Ｓ３２２）。
【００９４】
また、ここでは、動作モードを切替えさせるための制御情報及び応答情報のいずれもＣＥＣ制御信号を用いて伝送する方法について述べたが、これに限られない。例えば、動作モードを切り替えさせるための制御情報は、ＡＶＩ  ＩｎｆｏＦｒａｍｅを用いて伝送し、この制御情報に応じた応答情報はＣＥＣ制御信号により伝送してもよい。
【００９５】
ＣＥＣラインを利用することにより、双方向の通信が可能となるため、確実に受信装置２００の動作モードが切り替わってからプリエンファシス伝送を開始することが可能となる。
【００９６】
（４−３．Ｅｔｈｅｒｎｅｔ（登録商標）のパケット：ＨＥＡＣ）
次に、図１０を用いて、ＨＥＡＣによりＥｔｈｅｒｎｅｔ（登録商標）のパケットを用いて動作モードを切替える第３の実施例について説明する。
【００９７】
送信装置１００と受信装置２００との間がケーブルにより接続されると（Ｓ４０４）、送信装置１００は、受信装置２００のＥＤＩＤ−ＲＯＭに電源を供給し、受信装置２００がＨＰＤ信号を返すことにより、送信装置１００においては、ＨＰＤを検出する（Ｓ４０２）。そして、受信制御部２３０は、送信装置１００に対して、受信装置２００の受信能力の情報を示すパケットをＨＥＡＣを用いて伝送する（Ｓ４０６）。
【００９８】
そして、送信制御部１３０は、図６におけるステップＳ１０８及びステップＳ１１０と同様に、伝送信号のフォーマットを認識し（Ｓ４０８）、帯域の拡張が必要であるか否かを判断する（Ｓ４１０）。
【００９９】
そして、ステップＳ４１０において、帯域の拡張が必要であると判断された場合には、送信制御部１３０は、ステップＳ４０６において受信した受信能力情報パケットに基づいて、受信装置２００がプリエンファシス伝送が可能な装置であるか否かを判断する（Ｓ４１１）。そして、受信装置２００がプリエンファシス伝送が可能な装置であると判断されると、送信制御部１３０は、ＨＥＡＣによりＥｔｈｅｒｎｅｔ（登録商標）のパケットで受信装置２００をデエンファシスモードに切り替えさせるための制御情報を伝送する（Ｓ４１２）。
【０１００】
受信制御部２３０は、この制御情報に応じて、動作モードをデエンファシスモードに切り替え（Ｓ４１４）、送信装置１００に対して、ＨＥＡＣによりＥｔｈｅｒｎｅｔ（登録商標）のパケットで応答情報を返す（Ｓ４１６）。
【０１０１】
送信制御部１３０は、受信した応答情報に応じて、動作モードをプリエンファシスモードに切り替え（Ｓ４１８）、プリエンファシス信号の伝送を開始する（Ｓ４２０）。
【０１０２】
＜５．ケーブル構造について＞
また、次にここで提案するＨＤＭＩケーブルの構造例について、図１１及び図１２を参照しながら説明する。
【０１０３】
以上説明してきたように、プリエンファシス伝送を行うことによって、帯域を拡大することが可能となる。ところが、広帯域伝送は、伝送路長の誤差により発生するＩｎｔｅｒ  Ｐａｉｒ  Ｓｋｅｗ及びＩｎｔｒａ  Ｐａｉｒ  Ｓｋｅｗが大きくなる。このため、付帯対策として、伝送路長を正確に規定することのできるケーブル構造を提案する。
【０１０４】
例えば、図１１に示すように、フラットな構造をとることにより、伝送路長の誤差を最小化してもよい。また、図１２に示すように、セパレータを取り入れて、伝送路長の誤差が発生しにくい構造をとってもよい。
【０１０５】
＜６．効果の例＞
以上、プリエンファシス信号及びノーマル信号の双方を伝送することができる伝送システムについて説明してきたが、かかる構成によれば、従来プリエンファシス信号に対応していなかった伝送路において、プリエンファシス信号を伝送することができるようになる。これにより、例えばＨＤＭＩ  Ｖｅｒ．１．３において適用した場合には、従来の約２倍の広帯域伝送が可能となる。
【０１０６】
伝送帯域が約２倍に広がることにより、従来ＨＤＭＩにおいては対応していなかった大画面フォーマット（２Ｋ×４Ｋ  ６０Ｈｚ  ８ｂｉｔ）およびハイフレームレート（１Ｋ×２Ｋ  ２４０Ｈｚ  ８ｂｉｔ）などのフォーマットの信号を伝送することができるようになる。
【０１０７】
また、プリエンファシス処理を行わないノーマル信号を伝送することができるため、従来のＨＤＭＩ規格との上位互換性を保つことができる。
【０１０８】
また、コネクタの形状に変更はないため、既に発売された従来機器との間ではノーマル伝送を行い、プリエンファシス対応機器の間では、信号フォーマットに応じてプリエンファシス伝送が必要な場合にのみ帯域の拡張を行うことができる。
【０１０９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１０】
例えば、上記実施形態では、ＨＤＭＩを用いてプリエンファシス信号とノーマル信号との双方を伝送することのできる伝送システムについて説明したが、本発明はかかる例に限定されない。例えば、ＨＤＭＩに限らず、標準でプリエンファシスに対応していない規格に対し、プリエンファシスの機能を追加する場合に広く適用することができる。
【０１１１】
また、上記実施形態では、送信装置は送信機能のみを有し、受信装置は受信機能のみを有する構成についてのみ説明したが、本発明はかかる例に限られない。例えば、上記送信装置１００として表した送信部と、上記受信装置２００として表した受信部とを併せ持つ送受信装置であってもよい。この場合、インタフェース部などの共用することのできる構成は１つの機能部により構成されてよいことは言うまでもない。
【０１１２】
尚、本明細書において、シーケンス図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１１３】
１００    送信装置
１１０    インタフェース部
１２０    送信処理部
１２２    プリエンファシス部
１３０    送信制御部
１４０    パケット化部
２００    受信装置
２１０    インタフェース部
２２０    受信処理部
２２２    デエンファシス部
２２４    イコライザ
２３０    受信制御部
２４０    デパケット化部
２５０    ＥＤＩＤ  ＲＯＭ
【図１】
0005573361.tif 000002
【図２】
0005573361.tif 000003
【図３】
0005573361.tif 000004
【図４】
0005573361.tif 000005
【図５】
0005573361.tif 000006
【図６】
0005573361.tif 000007
【図７】
0005573361.tif 000008
【図８】
0005573361.tif 000009
【図９】
0005573361.tif 000010
【図１０】
0005573361.tif 000011
【図１１】
0005573361.tif 000012
【図１２】
0005573361.tif 000013
【図１３】
0005573361.tif 000014
【図１４】
0005573361.tif 000015